(57)【要約】【課題】エアタオルと収納棚とを兼ね備えたコンパクトなエアタオル装置内蔵キャビネットを提供する。【解決手段】本発明のエアタオル装置内蔵キャビネットは、収容棚を有するキャビネット部７２と、下部にエアを吹き出す吹出口が形成されたエアタオル部５０と、を備える。エアタオル部の吹出口より上部がキャビネット部の内部に配置され、エアタオル部の下部がキャビネット部から下方に露出している。【選択図】図１
2020081231.tif 000002
【特許請求の範囲】
【請求項１】
収容棚を有するキャビネット部と、
下部にエアを吹き出す吹出口が形成されたエアタオル部と、を備え、
前記エアタオル部の前記吹出口より上部が前記キャビネット部の内部に配置され、前記エアタオル部の下部が前記キャビネット部から下方に露出している、
エアタオル装置内蔵キャビネット。
【請求項２】
前記キャビネット部の前側に開閉可能なミラー扉が設けられている、
請求項１に記載のエアタオル装置内蔵キャビネット。
【請求項３】
請求項１または２に記載のエアタオル装置内蔵キャビネットと、
前記エアタオル装置内蔵キャビネットの下方に配置された洗面台と、
を備える、
手洗い装置。
【発明の詳細な説明】
【技術分野】
【０００１】
本発明は、エアタオル装置内蔵キャビネット及び手洗い装置に関する。
【背景技術】
【０００２】
一般に、化粧室には、手を洗う洗面台と、化粧室の管理や清掃に必要な備品等を収める収納棚を有するキャビネットと、洗面台で洗った手を乾かすエアタオルが設置されている。収容棚は、洗面台の上側や下側に設けられることがあり、設置スペースに余裕があれば洗面台の側方に設けられることもある。例えば、特許文献１には、洗面台の上方に配置され、ミラー扉を備えたキャビネットが開示されている。エアタオルは、洗面台とは離れた場所に設けられることが多い。
【先行技術文献】
【特許文献】
【０００３】
【特許文献１】特許第５５６１９６１号公報
【発明の概要】
【発明が解決しようとする課題】
【０００４】
特許文献１に記載されているミラーキャビネットは薄型ではあるが、エアタオルを備えていない。そこで、ミラーキャビネットとは別の場所にエアタオルを設置すると、全体として設置スペースを広く確保せざるを得ない。
【０００５】
上記事情を鑑み、本発明は、エアタオルと収納棚とを兼ね備え、コンパクトなエアタオル装置内蔵キャビネット及び手洗い装置を提供する。
【課題を解決するための手段】
【０００６】
本発明のエアタオル装置内蔵キャビネットは、収容棚を有するキャビネット部と、下部にエアを吹き出す吹出口が形成されたエアタオル部と、を備え、前記エアタオル部の前記吹出口より上部が前記キャビネット部の内部に配置され、前記エアタオル部の下部が前記キャビネット部から下方に露出している。
【０００７】
本発明のエアタオル装置内蔵キャビネットでは、前記キャビネット部の前側に開閉可能なミラー扉が設けられている。
【０００８】
本発明の手洗い装置では、請求項１または２に記載のエアタオル装置内蔵キャビネットと、前記エアタオル装置内蔵キャビネットの下方に配置された洗面台と、を備える。
【発明の効果】
【０００９】
本発明によれば、エアタオルと収納棚とを兼ね備え、コンパクトなエアタオル装置内蔵キャビネット及び手洗い装置が提供される。
【図面の簡単な説明】
【００１０】
【図１】本発明を適用した一実施形態のエアタオル装置内蔵キャビネット及び手洗い装置を備えた洗面化粧台の正面図である。
【図２】図１に示す洗面化粧台の右側面図である。
【図３】図１に示す洗面化粧台の左側面図である。
【図４】図１に示す洗面化粧台の平面図である。
【図５】図１に示す洗面化粧台の底面図である。
【図６】図１に示す洗面化粧台の背面図である。
【図７】図１に示す洗面化粧台の一部を拡大した斜視図である。
【図８】図１に示す洗面化粧台の一部を拡大した別の斜視図である。
【発明を実施するための形態】
【００１１】
以下、本発明の手洗い装置の実施形態について、図面を参照して説明する。
【００１２】
図１は、本発明を適用した一実施形態の手洗い装置２０を備えた洗面化粧台１０の正面図である。図２から図６のぞれぞれは、洗面化粧台１０の右側面図、左側面図、平面図、底面図、背面図である。図１から図６に示すように、洗面化粧台１０は、手洗い装置２０の他に、下側キャビネット８０を備える。
【００１３】
以下では、手洗い装置２０に対して使用者が立つ側を「前側」、使用者から最も離れている側を「後側」とし、前側と後側とを結ぶ方向を前後方向１とする。手洗い装置２０に対して使用者が立つ側から見て左側を単に「左側」、手洗い装置２０に対して使用者が立つ側から見て右側を単に「右側」とし、左側と右側とを結ぶ方向を左右方向２とする。床面５に対して垂直な方向を上下方向３とし、上下方向３において床面５に近い側を「下側」、上下方向３において床面５から遠い側を「上側」とする。
【００１４】
手洗い装置２０は、洗面ボウル２２を有する洗面台２１と、洗面台２１の後側及び右側に取り付けられた吐水部３０と、洗面台２１の後側及び左側に取り付けられた洗浄剤吐出部４０と、上側キャビネット（エアタオル装置内蔵キャビネット）７０とを備える。
【００１５】
洗面ボウル２２は、洗面台２１を構成している。洗面ボウル２２の内周面２４は、前面２５、右側面（側面）２６、左側面（側面）２７、後面２８及び底面２９を有する（図８参照）。左右方向２において、前面２５は、前後方向１において略一定の位置を保っている。右側面２６は、前側から所定の位置（例えば、前後方向１の中央）まで左右方向２において略一定の位置を保ち、前述の所定の位置から後側に進むにしたがって左側に寄っている。左側面２７は、前側から所定の位置（例えば、前後方向１の中央）まで左右方向２において略一定の位置を保ち、前述の所定の位置から後側に進むにしたがって右側に寄っている。すなわち、洗面ボウル２２の左右方向２の幅寸法は、前側から所定の位置まで略一定であり、所定の位置から後側に進むにしたがって縮小されている。
【００１６】
前面２５は、底部から高くなるにしたがって、言い換えれば下側から上側に進むにしたがって、後側に向かって傾斜している。右側面２６及び左側面２７のそれぞれは、底部から高くなるにしたがって、左側及び右側のそれぞれに向かって傾斜している。後面２８は、洗面台２１と上側キャビネット７０の後側で図示略の壁面に取り付けられている取付板９０の前側の面で構成され、床面５に対して垂直に延びている。平面視において底面２９の中央部には、排水口３５が形成されている。排水口３５には、底面２９とは上下方向３において隙間をあけた状態で目皿３６が嵌められている。底面２９は、外周部から排水口３５に向かって窄むように傾斜している。
【００１７】
内周面２４は、Ｒ面取りされている。例えば、前面２５、右側面２６、左側面２７及び後面２８と底面２９との接続部分は、Ｒ面取りされ、曲面で構成されている。また、前述の接続部分以外の箇所を含めて、洗面台２１の上面２３の曲がり部分は、Ｒ面取りされている。水や汚れを滞留させない観点から、Ｒ面取りの半径（Ｒ）は、例えば３ｍｍ以上１０ｍｍ以下であることが好ましい。
【００１８】
吐水部３０は、洗面ボウル２２の内部７に向かって水を吐出する。吐水部３０は、洗面台２１の後側かつ右側の上面２３に取り付けられている。具体的には、吐水部３０は、上面２３から洗面台２１の上方に向けて突出し、前側かつ洗面ボウル２２の前後方向１及び左右方向２の中央に向かって屈曲した後、下降している。吐水部３０の上側の面に水滴や埃等を残留しにくくすることによって吐水部３０の清潔度を高める観点から、吐水部３０の上側は、管軸方向に対して断面視したときに湾曲していることが好ましい。吐水部３０の上下方向３の所定の位置には、使用者の手が吐水部３０の前方（すなわち、平面視において吐水部３０が延びている方向の前側であって、洗面台２１の後側かつ右側から洗面台２１の中央に向かう方向に沿って吐水部３０より前側）に配置されたことを感知可能なセンサ３２が設けられている。
【００１９】
洗浄剤吐出部４０は、洗面ボウル２２の内部７に向かって洗浄剤を吐出する。具体的には、洗浄剤吐出部４０は、洗面台２１の後側かつ左側の上面２３に取り付けられている。洗浄剤吐出部４０は、上面２３から洗面台２１の上方に向けて突出しつつ、上側に進むにしたがって洗面ボウル２２の前後方向１及び左右方向２の中央に近づくように傾斜している。洗浄剤吐出部４０の上側には、洗面ボウル２２の内部７に洗浄剤を吐出する洗浄剤吐出口４１が設けられている。洗浄剤吐出部４０の上下方向３の所定の位置（例えば、上下方向３の中央部）には、使用者の手が洗浄剤吐出口４１の吐出方向（すなわち、洗面台２１の後側かつ左側から洗面台２１の中央に向かう方向）に沿って洗浄剤吐出部４０の前側に配置されたことを感知可能なセンサ４２が設けられている。
【００２０】
吐水部３０の右側（幅方向外側）には、側板（第１の側板）３７が設けられている。洗浄剤吐出部４０の左側（幅方向外側）には、側板（第２の側板）３８が設けられている。すなわち、洗面台２１の右側端部には側板３７が設けられ、洗面台２１の左側端部には側板３８が設けられている。図８に示すように、側板３７，３８は、洗面台２１と一体化され、側板３７，３８の前側の端面の下部は湾曲して上面２３と滑らかに接続している。
【００２１】
図１に示すように、上側キャビネット７０は、収容棚７５，７６，７７を有するキャビネット部７２と、下部にエアを吹き出す吹出口５１，５２が形成されたエアタオル部５０と、を備える。エアタオル部５０の吹出口５１，５２より上部は、キャビネット部７２の内部に配置されている。エアタオル部５０の下部はキャビネット部７２から下方に露出している。
【００２２】
上側キャビネット７０の前側に、開閉可能なミラー扉７１が設けられている。ミラー扉７１の左側の後面は、図示略のヒンジを介して収納棚７５，７７の左側の端部の前面に接続されている。ミラー扉７１の右側の端部の後面は、図示略のマグネットによって収納棚７５，７６の右側の端部の前面に対して着脱可能になっている。このような構成によって、ミラー扉７１は、右側の端部で開閉可能になっている。
【００２３】
収納棚７６，７７は、収納棚７５の下側に、左右方向２においてエアタオル部５０の左右方向２の幅よりやや大きいエアタオル部５０の設置領域をあけて配置されている。エアタオル部５０の上部（少なくとも、吹出口５１，５２の上端より上側の部分）は、収納棚７６，７７同士の間の空間に嵌まった状態で取付板９０に取り付けられており、ミラー扉７１が閉じている際にミラー扉７１によって覆われる。
【００２４】
エアタオル部５０は、手についた水を吹き飛ばして手を適度に乾燥させるエアを吹き出す。図４に示すように、エアタオル部５０は、左右方向２において吐水部３０と洗浄剤吐出部４０との間に配置されている。エアタオル部５０には、２つの吹出口５１，５２が形成されている。吹出口（第１の吹出口）５１は、洗面ボウル２２の右側半分に向けられ、吹出口（第２の吹出口）５２は、洗面ボウル２２の左側半分に向けられている。すなわち、エアタオル部５０の吹出口５１，５２からは、洗面台２１の上方から洗面ボウル２２の右側及び左側に向かってエアが吹き出す。
【００２５】
エアタオル部５０の側面（側方）には、吸気口５３，５４が形成されている。また、吸気口５３，５４に接するエアタオル部５０の側方（吸気口の近傍）に、芳香剤５５，５６が配置されている。
【００２６】
エアタオル部５０の下側には、吹出口５１，５２から下側に向かうにしたがって後側に傾斜する傾斜面が設けられている。これらの傾斜面近傍のエアタオル部５０の内部に、使用者の手がそれぞれの傾斜面の下側に配置されたことを感知可能なセンサ５７，５８が内蔵されている。
【００２７】
下側キャビネット８０は、前板８１、右側板８２、左側板８３及び取付用Ｌ字治具８４，８４で構成され、底板を有していない。下側キャビネット８０の上側は洗面台２１で塞がれ、下側キャビネット８０の下側は開放されている。前板８１の左側の端部の後面は、図示略のヒンジを介して左側板８３の前面に接続されている。前板８１の左側の端部の後面は、図示略のマグネットによって右側板８２の前面に対して着脱可能になっている。このような構成によって、前板８１は、右側の端部で開閉可能になっている。右側板８２及び左側板８３はそれぞれ、取付用Ｌ字治具８４を介して壁面に取り付けられている。
【００２８】
下側キャビネット８０の内部には、不図示の水道管等によって壁面の後方から供給される水を一旦貯留するタンク９１、タンク９１から吐水部３０に水を供給する給水管９２、洗浄剤が貯留されたタンク９３、タンク９３から洗浄剤吐出部４０に洗浄剤を供給する供給管９４、排水口３５から排水された水を床面５の下方の排水管（図示略）に流すための排水管９５、その他にセンサ３２，４２，５７，５８を作動させるための電気機器、コード類が収められている。
【００２９】
以上説明した本実施形態の上側キャビネット７０では、上述のキャビネット部７２と、エアタオル部５０と、を備える。エアタオル部５０の吹出口５１，５２より上部は、キャビネット部７２の内部に配置されている。エアタオル部５０の下部はキャビネット部７２から下方に露出している。上側キャビネット７０によれば、エアタオルと収納棚とを兼ね備えたコンパクトなエアタオル装置内蔵キャビネットを実現できる。エアタオル部５０が上側キャビネット７０に設けられることによって、従来のようにエアタオルが洗面台とは離れた場所に設けられる場合等に比べて清掃対象の場所を縮小でき、清掃時間を短縮できる。
【００３０】
また、本実施形態の上側キャビネット７０によれば、キャビネット部７２の前側に開閉可能なミラー扉７１が設けられているので、使用者がエアタオル部５０を用いて手を乾燥させているときにミラー鏡７１の鏡を見て身だしなみを整える、あるいは化粧をすることができる。
【００３１】
また、本実施形態の手洗い装置２０によれば、上側キャビネット７０と上側キャビネット７０の下方に配置された洗面台２１とを備えるので、全体としてコンパクト化を容易に図ることができる。
【００３２】
以上、本発明の好ましい実施形態について詳述したが、本発明は係る特定の実施形態に限定されるものではなく、特許請求の範囲内に記載された本発明の要旨の範囲内において、種々の変更が可能である。
【００３３】
例えば、上述の実施形態では、エアタオル部５０として、上述のように吹出口５１，５２が形成され、センサ５７，５８を備える１つのエアタオル装置を採用できる。しかしながら、エアタオル部５０は、吹出口５１が形成され、かつセンサ５７を備えるエアタオル装置と、吹出口５２が形成され、かつセンサ５８を備えるエアタオル装置との組み合わせによって構成されていてもよい。
また、芳香剤５５の香りをエア１０１，１０２にのせることができれば、芳香剤５５はエアタオル部５０の内部に配置されてもよい。
【００３４】
また、例えば、吹出口５１，５２は連結され、１つの吹出口を構成してもよい。さらに、１つの吹出口が床面５に対して平行に形成されていてもよい。すなわち、エアタオル部の吹出口が洗面台２１の後側、かつ洗面ボウル２２の上方に配置されていれば、吹出口及びエアタオル装置の構成は詳細に限定されない。また、上述の実施形態とは逆に、吹出口５１は洗面ボウル２２の左側半分に向けられ、吹出口５２は洗面ボウル２２の右側半分に向けられ、吹出口５１，５２の吹き出すエアが互いに交差しても構わない。
【符号の説明】
【００３５】
２０  手洗い装置
２１  洗面台
５０  エアタオル部
５１，５２  吹出口
７０  上側キャビネット（エアタオル装置内蔵キャビネット）
【図１】
2020081231.tif 000003
【図２】
2020081231.tif 000004
【図３】
2020081231.tif 000005
【図４】
2020081231.tif 000006
【図５】
2020081231.tif 000007
【図６】
2020081231.tif 000008
【図７】
2020081231.tif 000009
【図８】
2020081231.tif 000010